(57)【要約】【課題】原稿読取筐体部を開閉する際に、その開閉部分の重心をなるべく一定位置に保つこと。【解決手段】原稿読取筐体部３２を記録部２０に第１の軸Ｌ１周りに開閉自在に取付け、閉姿勢で記録部２０上方を覆うと共に開姿勢で記録部２０上方を開放するようにする。原稿搬送押え部４０を記録部２０に前記第１の軸Ｌ１に対して略垂直な第２の軸Ｌ２周りに開閉自在に取付け、閉姿勢で原稿読取筐体部３２上方を覆うと共に開姿勢で原稿読取筐体部３２上方を開放するようにする。【選択図】図１
2008085698.tif 000002
【特許請求の範囲】
【請求項１】
本体部と、
前記本体部に第１の軸周りに開閉自在に取付けられ、閉姿勢で前記本体部上方を覆うと共に開姿勢で前記本体部上方を開放する原稿読取筐体部と、
前記本体部に前記第１の軸に対して略垂直な第２の軸周りに開閉自在に取付けられ、閉姿勢で前記原稿読取筐体部上方を覆うと共に開姿勢で前記原稿読取筐体部上方を開放する原稿搬送押え部と、
を備えたことを特徴とする画像読取装置。
【請求項２】
請求項１記載の画像読取装置であって、
前記原稿読取筐体部のうちその原稿読取筐体部を開く際に前記原稿搬送押え部に当接する部分が曲面に形成されていることを特徴とする画像読取装置。
【発明の詳細な説明】
【技術分野】
【０００１】
この発明は、原稿を読取る原稿読取筐体部と、原稿の搬送及び原稿の押えが可能な原稿搬送押え部を開閉自在に備えた画像読取装置に関する。
【背景技術】
【０００２】
従来、画像読取装置として、本体部上に設置された原稿読取筐体部上に自動原稿搬送部や原稿押え部を開閉自在に配設したものがある。
【０００３】
このような画像読取装置では、消耗品の交換やメンテナンス時等に原稿読取筐体部を開く必要が生じる。
【０００４】
通常、画像読取装置では、自動原稿搬送部や原稿押え部を閉じた状態で、原稿読取筐体部を良好な操作性で開くことができるように設定されている。
【０００５】
なお、本願発明に関連する先行技術としては、例えば特許文献１に記載のものがある。
【０００６】
【特許文献１】特開２００２−３０３９４３号公報
【発明の開示】
【発明が解決しようとする課題】
【０００７】
ところが、従来の画像読取装置では、原稿読取筐体部上で自動原稿搬送部や原稿押え部を開いた状態のままで、原稿読取筐体部を開くことが可能である。そして、自動原稿搬送部や原稿押え部を開いた状態のままで、原稿読取筐体部を開いてしまうと、その開閉される部分の重心位置が当初想定された位置より大きく変ってしまう。特に、原稿読取筐体部を開いたままであると、重心位置が原稿読取筐体部の上方にずれ、勢いづいて開いてしまうといった問題を生じる。
【０００８】
そこで、本発明は、原稿読取筐体部を開閉する際に、その開閉部分の重心をなるべく一定位置に保つことを目的とする。
【課題を解決するための手段】
【０００９】
上記課題を解決するため、この画像読取装置は、本体部と、前記本体部に第１の軸周りに開閉自在に取付けられ、閉姿勢で前記本体部上方を覆うと共に開姿勢で前記本体部上方を開放する原稿読取筐体部と、前記本体部に前記第１の軸に対して略垂直な第２の軸周りに開閉自在に取付けられ、閉姿勢で前記原稿読取筐体部上方を覆うと共に開姿勢で前記原稿読取筐体部上方を開放する原稿搬送押え部とを備えるものである。
【００１０】
この場合に、前記原稿読取筐体部のうちその原稿読取筐体部を開く際に前記原稿搬送押え部に当接する部分が曲面に形成されていてもよい。
【発明の効果】
【００１１】
この画像読取装置によると、本体部に第１の軸周りに開閉自在に取付けられ、閉姿勢で前記本体部上方を覆うと共に開姿勢で前記本体部上方を開放する原稿読取筐体部と、前記本体部に前記第１の軸に対して略垂直な第２の軸周りに開閉自在に取付けられ、閉姿勢で前記原稿読取筐体部上方を覆うと共に開姿勢で前記原稿読取筐体部上方を開放する原稿搬送押え部とを備えている。このため、原稿搬送押え部の開閉状態に拘らず、原稿読取筐体部を開閉する際に、原稿読取筐体部の重心位置を一定位置に保つことができる。
【００１２】
また、前記原稿読取筐体部のうちその原稿読取筐体部を開く際に前記原稿搬送押え部に当接する部分が曲面に形成されていると、原稿読取筐体部を開く際に、その曲面を原稿搬送押え部に接触させることで、原稿搬送押え部を円滑に開くことができる。
【発明を実施するための最良の形態】
【００１３】
以下、この発明の実施形態に係る画像読取装置について説明する。本実施形態では、画像読取装置をデジタル複合機に適用した例で説明する。
【００１４】
＜１．デジタル複合機の全体構成＞
まず、デジタル複合機の全体構成について説明する。図１は実施形態に係るデジタル複合機の全体構成を示す斜視図である。なお、図１には、説明の便宜上、上下方向、前後方向、および左右方向を示す座標軸を付している。
【００１５】
このデジタル複合機１０は、機能的には、大別して原稿読取部分と画像形成部分とを備えている。そして、これら各機能部分を適宜制御下で利用することにより、ＦＡＸ機能、コピー機能、スキャン機能、プリント機能などの諸機能を実現する構成となっている。
【００１６】
より具体的には、このデジタル複合機１０では画像形成機能を担う記録部２０の上方に、画像読取機能を担う読取部３０が配設されている。
【００１７】
記録部２０は、画像形成、即ち、用紙に所定の印刷処理を施して記録紙を形成するように構成されている。より具体的には、記録部２０は、少なくとも一つの給紙カセット２２の上方に、記録装置としての印刷部２４が配設された構成となっている。そして、給紙カセット２２に収容される用紙を印刷部２４へ給紙して印刷した後に、記録紙として外部等へ排出する構成となっている。
【００１８】
この記録部２０は、デジタル複合機１０の全体中において、機構的な基礎土台となる本体部としての役割も有している。
【００１９】
読取部３０は、画像読取、即ち、原稿の情報を画像データとして読取るように構成されている。ここでは、読取部３０は、フラットベッド方式のスキャナとして原稿を読取ると共に、シートフィード方式のスキャナとして原稿を読取り可能に構成されている。
【００２０】
より具体的には、読取部３０は、記録部２０の上方に設けられた原稿読取筐体部３２の上方に、原稿搬送押え部４０が設けられた構成とされている。
【００２１】
原稿読取筐体部３２は、載置される又は搬送される原稿を読取るものであり、平面視略方形状の筐体部３３の上面にコンタクトガラス３５及びプラテンガラス３６が取付けられた構成とされている。また、筐体部３３内には、画像を読取るための要素としてキャリッジ３８と受光部３９等が設けられている。
【００２２】
そして、上記プラテンガラス３６の上方に原稿を載置した状態で、プラテンガラス３６の下方でキャリッジ３８を移動させると、光源からの光がプラテンガラス３６上の原稿で反射されキャリッジ３８を経由して受光部３９に導かれる。これにより、プラテンガラス３６上の原稿が画像データとして読取られるようになっている（フラットベッド方式のスキャン方式）。
【００２３】
また、キャリッジ３８をコンタクトガラス３５下方で停止させた状態で、原稿をコンタクトガラス３５に接触させるように搬送することで、該原稿が読取られるようになっている（シートフィード方式のスキャン）。
【００２４】
また、原稿読取筐体部３２の前部には、操作パネル５０が設けられている。操作パネル５０には、各種スイッチ５２及びタッチパネル５４が設けられている。各種スイッチ５２は本デジタル複合機１０に対する諸操作を受付ける。タッチパネル５４は、そのような諸操作を受付けると共に、本デジタル複合機１０の動作状況、操作内容等を表示する表示手段としても機能する。
【００２５】
この原稿読取筐体部３２は、上記記録部２０にヒンジ部を介して開閉自在に取付けられている。原稿読取筐体部３２が開閉する中心となる軸Ｌ１（第１の軸）は、記録部２０の一側部（左側部）で前後方向に沿った軸である。これにより、原稿読取筐体部３２は、当該軸Ｌ１を中心にして開閉し、閉姿勢では記録部２０の上方を覆うと共に、開姿勢では記録部２０の上方を開放する。なお、上記ヒンジ部には、原稿読取筐体部３２を軽い操作力で開くことができ、かつ、途中まで開いた状態で何ら外力を加えることなくその開いた状態を維持できるように、開方向に付勢するバネ等の付勢手段が組込まれていることが好ましい。
【００２６】
そして、記録部２０の上方を開放させた状態で、印刷部２４に対する各種メンテナンス作業が可能になる。つまり、記録部２０の印刷部２４は、印刷を行うための感光体ドラムやトナー等を内蔵しているので、これらの交換作業等が必要となる。また、印刷部２４は用紙を送りつつ印刷を行うところ、紙詰り等が発生した場合には、当該用紙を除去する作業等が必要になる。そこで、原稿読取筐体部３２を開いた状態で、印刷部２４に対する各種メンテナンス作業を行うのである。
【００２７】
また、原稿読取筐体部３２のうちその原稿読取筐体部３２を開く際に原稿搬送押え部４０に当接する部分は、曲面に形成されている。ここでは、原稿読取筐体部３２の一側部（後側部）で、原稿搬送押え部４０が記録部２０に開閉自在に取付けられている。このため、原稿搬送押え部４０を閉じた状態で、原稿読取筐体部３２を開くと、その原稿読取筐体部３２のうち原稿搬送押え部４０の取付側の側縁部、より具体的には、原稿読取筐体部３２の上部後側縁部が原稿搬送押え部４０の原稿押え面４０ｂに当接する。そこで、原稿読取筐体部３２の上部後側縁部をラウンド加工等で曲面に形成することで、部分的な円筒周面状の接触曲面部３２ａに形成している。
【００２８】
原稿搬送押え部４０は、原稿押え部４０ａと、自動原稿搬送装置４５（Auto Document Feeder：ＡＤＦ）とを有している。
【００２９】
原稿押え部４０ａは、扁平な形状に形成されており、その底面はプラテンガラス３６よりも大きな広がりを有する原稿押え面４０ｂに形成されている。そして、プラテンガラス３６上の原稿を原稿押え面４０ｂで一定位置に押える役割を果す。
【００３０】
また、自動原稿搬送装置４５は、原稿押え部４０ａの一側部に設けられており、原稿をコンタクトガラスに接触させるように順次搬送するように構成されている。
【００３１】
この原稿搬送押え部４０は、上記記録部２０にヒンジ部４０ｈを介して開閉自在に取付けられている。より具体的には、記録部２０の一側部に、開閉支持部２８が設けられている。開閉支持部２８は、上記原稿読取筐体部３２の高さ寸法と略同じ高さ寸法で、かつ、記録部２０の一側部全体（左右方向全体）に亘って延在する略直方体形状に形成されている。そして、その開閉支持部２８の上面外縁部に、上記原稿搬送押え部４０がヒンジ部４０ｈを介して開閉自在に取付けられている。
【００３２】
この原稿搬送押え部４０が開閉する中心となる軸Ｌ２（第２の軸）は、記録部２０の一側部（後側縁部）で左右方向に沿った軸であり、原稿読取筐体部３２の原稿読取り面（即ち、プラテンガラス３６及びコンタクトガラス３５の上面、ここでは水平面）において上記軸Ｌ１に対して略垂直な方向に沿って延びている。これにより、原稿搬送押え部４０は、当該軸Ｌ２を中心にして開閉し、閉姿勢では、原稿搬送押え部４０が原稿読取筐体部３２の上方に配設される。この姿勢では、原稿押え面４０ｂがプラテンガラス３６上の原稿を押え付け可能になる。また、自動原稿搬送装置４５がコンタクトガラス３５上方位置に配設され、当該自動原稿搬送装置４５がコンタクトガラス３５に接触するように原稿を搬送可能になる。また、原稿搬送押え部４０は、閉姿勢では、原稿読取筐体部３２、特に、プラテンガラス３６の上面を開放させる。これにより、プラテンガラス３６上に原稿を載置及び除去可能になる。
【００３３】
図２は原稿読取筐体部及び原稿搬送押え部を閉姿勢にした状態を示す説明図であり、図３及び図４は原稿読取筐体部及び原稿搬送押え部を開姿勢にした状態を示す説明図である。なお、図２及び図３では、説明の便宜上、記録部２０、開閉支持部２８、原稿読取筐体部３２及び原稿搬送押え部４０を略直方体状に簡略化して示している。
【００３４】
すなわち、原稿読取筐体部３２及び原稿搬送押え部４０を閉姿勢にした状態では、図２に示すように、記録部２０の上に原稿読取筐体部３２が配設され、原稿読取筐体部３２の上に原稿搬送押え部４０が積層状に配設された状態となっている。
【００３５】
この状態では、原稿搬送押え部４０をそれ単独で開いて開姿勢にすることができる（図１参照）。また、原稿搬送押え部４０を開姿勢にした状態で、原稿読取筐体部３２をそれ単独で開いて開姿勢にすることができる（図３及び図４参照）。
【００３６】
また、原稿読取筐体部３２及び原稿搬送押え部４０を閉姿勢にした状態で、原稿読取筐体部３２を持上げるようにして開こうとすると、接触曲面部３２ａが原稿搬送押え部４０の底面に接触して原稿搬送押え部４０を同時に持上げて開こうとする。この際には、原稿搬送押え部４０を開くために、多少大きな力を必要とするものの、原稿読取筐体部３２自体の重心位置は変らず一定位置を保つことができる。
【００３７】
このように、原稿搬送押え部４０の開閉状態に拘らず、原稿読取筐体部３２を開閉する際に、原稿読取筐体部３２の重心位置を一定位置に保つことができる。従って、例えば、原稿読取筐体部３２が勢い付いて開いてしまうといった事態が防止され、良好な開閉操作性を保つことができる。
【００３８】
しかも、原稿読取筐体部３２のうちその原稿読取筐体部３２を開く際に原稿搬送押え部４０に当接する部分が接触曲面部３２ａに形成されているため、原稿読取筐体部３２を開く際に、その接触曲面部３２ａを原稿搬送押え部４０に接触させることで、当該原稿搬送押え部を円滑に開くことができるという利点もある。
【００３９】
また、原稿搬送押え部４０と原稿読取筐体部３２との開閉を連動させるために特殊な機構を組込む必要もないため、構成を簡易化できるという利点もある。
【図面の簡単な説明】
【００４０】
【図１】実施形態に係るデジタル複合機の全体構成を示す斜視図である。
【図２】原稿読取筐体部及び原稿搬送押え部を閉姿勢にした状態を示す説明図である。
【図３】原稿読取筐体部及び原稿搬送押え部を開姿勢にした状態を示す説明図である。
【図４】原稿読取筐体部及び原稿搬送押え部を開姿勢にした状態を示す説明図である。
【符号の説明】
【００４１】
１０  デジタル複合機
２０  記録部
３２  原稿読取筐体部
３２ａ  接触曲面部
４０  原稿搬送押え部
４０ａ  原稿押え部
４５  自動原稿搬送装置
Ｌ１  第１の軸
Ｌ２  第２の軸
【図１】
2008085698.tif 000003
【図２】
2008085698.tif 000004
【図３】
2008085698.tif 000005
【図４】
2008085698.tif 000006